【手続補正書】
【提出日】平成16年3月9日(2004.3.9)
【手続補正１】
【補正対象書類名】明細書
【補正対象項目名】特許請求の範囲
【補正方法】変更
【補正の内容】
【特許請求の範囲】
【請求項１】
インク受像シートに昇華性染料インクを用いて画像の印刷を行うと共に、印刷後の前記インク受像シートとメディア本体とを重ね合わせて加熱処理し、前記インク受像シートに保持した前記昇華性染料インクを前記メディア本体の表面に拡散・発色させて画像を形成する偽造防止用の画像形成方法であって、
前記インク受像シートに画像の印刷を行う印刷工程と、印刷後の前記インク受像シートと前記メディア本体とを重ね合わせて加熱処理する加熱工程とを備え、
前記加熱工程において、前記昇華性染料インクの拡散深さを制御すべく加熱熱量を調整することを特徴とする偽造防止用の画像形成方法。
【請求項２】
インク受像シートに昇華性染料インクを用いて画像の印刷を行うと共に、印刷後の前記インク受像シートとメディア本体とを重ね合わせて加熱処理し、前記インク受像シートに保持した前記昇華性染料インクを前記メディア本体の表面に拡散・発色させて画像を形成する偽造防止用の画像形成方法であって、
データ上において前記画像を複数の色彩に色分割し、
前記インク受像シートに各色分割画像の印刷を行う印刷工程と、印刷後の前記インク受像シートと前記メディア本体とを重ね合わせて加熱処理する加熱工程と、加熱後の前記メディア本体と前記インク受像シートとに分離する分離工程とを、前記インク受像シートを新しいインク受像シートに更新しながら前記色分割の回数分繰り返すと共に、
複数の前記加熱工程における加熱熱量を順次少なくなるように調整することを特徴とする偽造防止用の画像形成方法。
【請求項３】
前記色分割の回数を２とし、
第１回目の画像形成操作における色分割画像を暗色系とし、第２回目の画像形成操作における色分割画像を明色系とすることを特徴とする請求項２に記載の偽造防止用の画像形成方法。
【請求項４】
インク受像シートに昇華性染料インクを用いて画像の印刷を行うと共に、印刷後の前記インク受像シートとメディア本体とを重ね合わせて加熱処理し、前記インク受像シートに保持した前記昇華性染料インクを前記メディア本体の表面に拡散・発色させて画像を形成する偽造防止用の画像形成方法であって、
データ上において前記画像を複数の画像要素に要素分割し、
前記インク受像シートに各要素分割画像の印刷を行う印刷工程と、印刷後の前記インク受像シートと前記メディア本体とを重ね合わせて加熱処理する加熱工程と、加熱後の前記メディア本体と前記インク受像シートとを分離する分離工程とを、前記インク受像シートを新しいインク受像シートに更新しながら前記要素分割の回数分繰り返すと共に、
複数の前記加熱工程における加熱熱量を順次少なくなるように調整することを特徴とする偽造防止用の画像形成方法。
【請求項５】
前記要素分割の回数を２とし、
第１回目の画像形成操作における要素分割画像と、第２回目の画像形成操作にける要素分割画像とを、一部重複させることを特徴とする請求項４に記載の偽造防止用の画像形成方法。
【請求項６】
インク受像シートに昇華性染料インクを用いて画像の印刷を行うと共に、印刷後の前記インク受像シートとメディア本体とを重ね合わせて加熱処理し、前記インク受像シートに保持した前記昇華性染料インクを前記メディア本体の表面に拡散・発色させて画像を形成する偽造防止用の画像形成方法であって、
データ上において前記画像を複数の濃度に濃度分割し、
前記インク受像シートに各濃度分割画像の印刷を行う印刷工程と、印刷後の前記インク受像シートと前記メディア本体とを重ね合わせて加熱処理する加熱工程と、加熱後の前記メディア本体と前記インク受像シートとを分離する分離工程とを、前記インク受像シートを新しいインク受像シートに更新しながら前記濃度分割の回数分繰り返すと共に、
複数の前記加熱工程における加熱熱量を順次少なくなるように調整することを特徴とする偽造防止用の画像形成方法。
【請求項７】
前記濃度分割の回数を２とし、
第１回目の画像形成操作における濃度分割画像を高い濃度とし、第２回目の画像形成操作における濃度分割画像を低い濃度とすることを特徴とする請求項６に記載の偽造防止用の画像形成方法。
【請求項８】
前記メディア本体は、基材層を構成すると共にインク定着可能な白色層、白色層の表面に積層したインク定着可能な透明層とを有し、
前記分割の回数を２とし、第１回目の画像形成操作で前記昇華性染料インクを前記白色層の表層に加熱定着させ、第２回目の画像形成操作で前記昇華性染料インクを前記透明層に加熱定着させることを特徴とする請求項２ないし７のいずれかに記載の偽造防止用の画像形成方法。
【請求項９】
前記メディア本体には、前記インク受像シートが重ねられる最表層にフッ素フィルム層が積層されていることを特徴とする請求項１ないし８のいずれかに記載の偽造防止用の画像形成方法。
【請求項１０】
前記メディア本体が、カードであることを特徴とする請求項１ないし９のいずれかに記載の偽造防止用の画像形成方法。
【請求項１１】
前記印刷工程における印刷が、インクジェット方式で行われることを特徴とする請求項１ないし１０のいずれかに記載の偽造防止用の画像形成方法。
【請求項１２】
前記加熱工程は、駆動状態の加熱源に対し前記印刷用メディアを定速で通過させることで行われ、
前記加熱熱量の調整は、加熱源の温度および／または通過速度で行われることを特徴とする請求項１ないし１１のいずれかに記載の偽造防止用の画像形成方法。
【請求項１３】
インク受像シートに昇華性染料インクを用いて画像の印刷を行うと共に、印刷後の前記インク受像シートとメディア本体とを重ね合わせて加熱処理し、前記インク受像シートに保持した前記昇華性染料インクを前記メディア本体の表面に拡散・発色させて画像を形成する偽造防止用の画像形成装置であって、
前記インク受像シートに画像の印刷を行う印刷手段と、
印刷後の前記インク受像シートと前記メディア本体とを重ね合わせて加熱処理する加熱手段と、
前記加熱手段を制御する制御手段とを備え、
前記制御手段は、前記昇華性染料インクの拡散深さを調整すべく前記加熱手段の加熱熱量を制御することを特徴とする偽造防止用の画像形成装置。
【請求項１４】
インク受像シートに昇華性染料インクを用いて画像の印刷を行うと共に、印刷後の前記インク受像シートとメディア本体とを重ね合わせて加熱処理し、前記インク受像シートに保持した前記昇華性染料インクを前記メディア本体の表面に拡散・発色させて画像を形成する偽造防止用の画像形成装置であって、
データ上において前記画像を複数の色彩に色分割する分割画像作成手段と、
前記インク受像シートに各色分割画像の印刷を行う印刷手段と、
印刷後の前記インク受像シートと前記メディア本体とを重ね合わせて加熱処理する加熱手段と、
加熱後の前記メディア本体と前記インク受像シートとを分離する分離手段と、
前記インク受像シートを新しいインク受像シートに更新するシート更新手段と、
前記分割画像作成手段、前記印刷手段、前記加熱手段、前記分離手段および前記シート更新手段を制御する制御手段とを備え、
前記制御手段は、前記分割画像作成手段の色分割画像に基づいて、前記印刷手段による印刷工程と前記加熱手段による加熱工程と前記分離手段による分離工程とを、前記シート更新手段により前記インク受像シートを更新しながら前記色分割の回数分繰り返すと共に、複数の前記加熱工程における加熱熱量を順次少なくなるように制御することを特徴とする偽造防止用の画像形成装置。
【請求項１５】
インク受像シートに昇華性染料インクを用いて画像の印刷を行うと共に、印刷後の前記インク受像シートとメディア本体とを重ね合わせて加熱処理し、前記インク受像シートに保持した前記昇華性染料インクを前記メディア本体の表面に拡散・発色させて画像を形成する偽造防止用の画像形成装置であって、
データ上において前記画像を複数の画像要素に要素分割する分割画像作成手段と、
前記インク受像シートに各要素分割画像の印刷を行う印刷手段と、
印刷後の前記インク受像シートと前記メディア本体とを重ね合わせて加熱処理する加熱手段と、
加熱後の前記メディア本体と前記インク受像シートとを分離する分離手段と、
前記インク受像シートを新しいインク受像シートに更新するシート更新手段と、
前記分割画像作成手段、前記印刷手段、前記加熱手段、前記分離手段および前記シート更新手段を制御する制御手段とを備え、
前記制御手段は、前記分割画像作成手段の要素分割画像に基づいて、前記印刷手段による印刷工程と前記加熱手段による加熱工程と前記分離手段による分離工程とを、前記シート更新手段により前記インク受像シートを更新しながら前記要素分割の回数分繰り返すと共に、複数の前記加熱工程における加熱熱量を順次少なくなるように制御することを特徴とする偽造防止用の画像形成装置。
【請求項１６】
インク受像シートに昇華性染料インクを用いて画像の印刷を行うと共に、印刷後の前記インク受像シートとメディア本体とを重ね合わせて加熱処理し、前記インク受像シートに保持した前記昇華性染料インクを前記メディア本体の表面に拡散・発色させて画像を形成する偽造防止用の画像形成装置であって、
データ上において前記画像を複数の濃度に濃度分割する分割画像作成手段と、
前記インク受像シートに各濃度分割画像の印刷を行う印刷手段と、
印刷後の前記インク受像シートと前記メディア本体とを重ね合わせて加熱処理する加熱手段と、
加熱後の前記メディア本体と前記インク受像シートとを分離する分離手段と、
前記インク受像シートを新しいインク受像シートに更新するシート更新手段と、
前記分割画像作成手段、前記印刷手段、前記加熱手段、前記分離手段および前記シート更新手段を制御する制御手段とを備え、
前記制御手段は、前記分割画像作成手段の濃度分割画像に基づいて、前記印刷手段による印刷工程と前記加熱手段による加熱工程と前記分離手段による分離工程とを、前記シート更新手段により前記インク受像シートを更新しながら前記濃度分割の回数分繰り返すと共に、複数の前記加熱工程における加熱熱量を順次少なくなるように制御することを特徴とする偽造防止用の画像形成装置。
【請求項１７】
前記メディア本体が、カードであることを特徴とする請求項１３ないし１６のいずれかに記載の偽造防止用の画像形成装置。
【請求項１８】
前記印刷手段における印刷が、インクジェット方式で行われることを特徴とする請求項１３ないし１７のいずれかに記載の偽造防止用の画像形成装置。
【請求項１９】
前記加熱手段は、加熱源と、駆動状態の前記加熱源に対し前記印刷用メディアを定速で通過させるメディア送り機構とを有し、
前記制御手段は、加熱源の温度および／またはメディア送り機構の通過速度により、加熱熱量の調整を行うことを特徴とする請求項１３ないし１８のいずれかに記載の偽造防止用の画像形成装置。
【手続補正２】
【補正対象書類名】明細書
【補正対象項目名】０００５
【補正方法】変更
【補正の内容】
【０００５】
【課題を解決するための手段】
本発明の画像形成方法は、インク受像シートに昇華性染料インクを用いて画像の印刷を行うと共に、印刷後のインク受像シートとメディア本体とを重ね合わせて加熱処理し、インク受像シートに保持した昇華性染料インクをメディア本体の表面に拡散・発色させて画像を形成する偽造防止用の画像形成方法であって、インク受像シートに画像の印刷を行う印刷工程と、印刷後のインク受像シートとメディア本体とを重ね合わせて加熱処理する加熱工程とを備え、加熱工程において、昇華性染料インクの拡散深さを制御すべく加熱熱量を調整することを特徴とする。


【手続補正３】
【補正対象書類名】明細書
【補正対象項目名】０００６
【補正方法】変更
【補正の内容】
【０００６】
同様に、本発明の画像形成装置は、インク受像シートに昇華性染料インクを用いて画像の印刷を行うと共に、印刷後のインク受像シートとメディア本体とを重ね合わせて加熱処理し、インク受像シートに保持した昇華性染料インクをメディア本体の表面に拡散・発色させて画像を形成する偽造防止用の画像形成装置であって、インク受像シートに画像の印刷を行う印刷手段と、印刷後のインク受像シートとメディア本体とを重ね合わせて加熱処理する加熱手段と、加熱手段を制御する制御手段とを備え、制御手段は、昇華性染料インクの拡散深さを調整すべく加熱手段の加熱熱量を制御することを特徴とする。


【手続補正４】
【補正対象書類名】明細書
【補正対象項目名】０００７
【補正方法】変更
【補正の内容】
【０００７】
これらの構成によれば、インク受像シートに画像の印刷を行うとインク受像シートに昇華性染料インクが含浸保持され、印刷後のインク受像シートとメディア本体とを重ね合わた状態で印刷用メディアを加熱すると、昇華性染料インクがインク受像シートからメディア本体の表層（表面）に拡散・発色して、画像が形成される。
ところで、加熱によりインク受像シートからメディア本体に画像（昇華性染料インク）が転写されるときに、加熱時間、正確には加熱熱量により、昇華性染料インクの拡散深さ（移行深さ）が異なることが観察されている。すなわち、昇華性染料インクは、加熱熱量が多い深く浸透して定着し、少ないと浅く浸透して定着する。したかって、印刷用メディアへの加熱熱量とメディア本体への昇華性染料インクの拡散深さとの相関関係を見出しておき、加熱熱量を積極的に制御することで、メディア本体の表層における昇華性染料インクの定着深さを秘匿しておくことができる。また、メディア本体の断面を観察することで、昇華性染料インクの定着深さにより、メディア本体が偽造されているか否かを簡単に判別することができる。


【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】